(57)【要約】【課題】エアフィルターの自動清掃時の清掃性の向上を図るとともに、清掃中の作動音も気にならない空気調和機を提供する。【解決手段】熱交換器２１と、前記熱交換器２１を通過する空気に含まれる埃を捕集するエアフィルター２と、前記エアフィルター２の上流側表面に沿って移動可能で前記埃を吸引する吸引ノズル３と、前記吸引ノズル３に設けた接続口１１に接続され前記吸引ノズル３で吸引された埃を搬送する吸引ダクト５と、前記吸引ダクト５に連結され前記埃を吸引排出する吸引装置（図示せず）とを備え、前記接続口１１を前記吸引ノズル３の長手方向の略中央部に設けたもので、これによって、吸引力の均一化が図れ、吸引清掃時における吸引力および作動音のムラを改善することが可能となり、清掃性の向上と清掃時の作動音の改善が可能となり、より快適な環境を作出する空気調和機を提供することができる。【選択図】図１
2009293823.tif 000002
【特許請求の範囲】
【請求項１】
熱交換器と、前記熱交換器を通過する空気に含まれる埃を捕集するエアフィルターと、前記エアフィルターの上流側表面に沿って移動可能で前記埃を吸引する吸引ノズルと、前記吸引ノズルに設けた接続口に接続され前記吸引ノズルで吸引された埃を搬送する吸引ダクトと、前記吸引ダクトに連結され前記埃を吸引排出する吸引装置とを備え、前記接続口を前記吸引ノズルの長手方向の略中央部に設けたことを特徴とする空気調和機。
【請求項２】
吸引ダクトを空気調和機の本体の前面側上部付近に配設したことを特徴とする請求項１に記載の空気調和機。
【請求項３】
エアフィルターと、吸引ノズルと、吸引ダクトと、吸引装置とでフィルター装置を構成し、吸引ダクトを保持する支持部材を、前記フィルター装置もしくは本体に備えたことを特徴とする請求項２に記載の空気調和機。
【発明の詳細な説明】
【技術分野】
【０００１】
本発明は、空気調和機に関するもので、特に、エアフィルターの清掃を自動的に行う機能を備えた空気調和機に関するものである。
【背景技術】
【０００２】
従来、この種の空気調和機は、熱交換器の前面に、空気調和機の本体内部へ埃が侵入することを防ぐためのエアフィルターが設けられており、そのエアフィルターに付着した埃を吸引ノズルで吸引し、吸引された埃を吸引ダクトを介して搬送し、吸引装置で吸引排出することで自動吸引清掃するフィルター装置を備えている。
【０００３】
埃を吸引する吸引ノズルのノズル本体には、埃を吸引するための吸引ノズル開口部が設けられ、更にノズル本体に対して自在に移動するフィルムが、ノズル本体の長手方向の周囲にループ上に巻き付けられ、そのフィルムの吸引ノズル開口部に相対する位置には、吸引ノズル開口部に沿って吸引ノズル開口部の開口長さより短い吸引口が設けてあり、エアフィルターの吸引清掃時に、吸引ノズルの１往復動作毎に、フィルムの吸引口を順次移動させてエアフィルター全面を吸引清掃するようになっている（例えば、特許文献１参照）。
【０００４】
図７は、上記特許文献１に記載された従来の空気調和機の断面図、図８は、同空気調和機の吸引ノズルの裏面展開図を示すものである。
【０００５】
図７、図８において、従来の空気調和機は、本体２０と、熱交換器２１と、エアフィルター２と、吸引ノズル３と、吸引ダクト５と、吸引装置（図示せず）と、ノズル本体８と、フィルム９と、吸引ノズル開口部（図示せず）と、吸引口１０と、接続口１１と、フィルター装置２３と、パネル３１と、支持アーム３２と、ギア３３と、パネル駆動装置３４と、ファン２２から構成されている。
【０００６】
パネル３１を保持する支持アーム３２と、パネル駆動装置３４と、支持アーム３２とパネル駆動装置３４とを連結するギア３３とが、本体２０の前面側上部に配設されている。このため、この場所近傍に吸引ダクト５を接続する接続口１１を吸引ノズル３に設けるためのスペースを確保することができず、接続口１１は、吸引ノズル３の下部に設けられている。
【特許文献１】特開２００６−９７９２０号公報
【発明の開示】
【発明が解決しようとする課題】
【０００７】
しかしながら、前記従来の空気調和機の構成では、埃を吸引する吸引装置に連結され埃を搬送する吸引ダクト５を吸引ノズル３の下端に設けているため、吸引口１０が吸引ノズル３の上部付近に位置する場合と下部付近に位置する場合とでは、吸引口１０における吸引力に強弱が生じるとともに、吸引時の音が変化して耳障りであるという課題を有していた。
【０００８】
本発明は、前記従来の課題を解決するもので、エアフィルターの吸引清掃時における吸引力および作動音のムラを改善し、より快適な環境を作出する空気調和機を提供することを目的とする。
【課題を解決するための手段】
【０００９】
前記従来の課題を解決するために、本発明の空気調和機は、熱交換器と、前記熱交換器を通過する空気に含まれる埃を捕集するエアフィルターと、前記エアフィルターの上流側表面に沿って移動可能で前記埃を吸引する吸引ノズルと、前記吸引ノズルに設けた接続口に接続され前記吸引ノズルで吸引された埃を搬送する吸引ダクトと、前記吸引ダクトに連結され前記埃を吸引排出する吸引装置とを備え、前記接続口を前記吸引ノズルの長手方向の略中央部に設けたもので、これによって、吸引力の均一化が図られ、吸引清掃時における吸引力および作動音のムラを改善することが可能となり、清掃性の向上と清掃時の作動音の改善が可能となり、より快適な環境を作出する空気調和機を提供することができる。
【発明の効果】
【００１０】
本発明の空気調和機は、エアフィルターの自動清掃において、清掃性の向上を図るとともに、清掃中の作動音も気にならない空気調和機を提供することができる。
【発明を実施するための最良の形態】
【００１１】
第１の発明は、熱交換器と、前記熱交換器を通過する空気に含まれる埃を捕集するエアフィルターと、前記エアフィルターの上流側表面に沿って移動可能で前記埃を吸引する吸引ノズルと、前記吸引ノズルに設けた接続口に接続され前記吸引ノズルで吸引された埃を搬送する吸引ダクトと、前記吸引ダクトに連結され前記埃を吸引排出する吸引装置とを備え、前記接続口を前記吸引ノズルの長手方向の略中央部に設けたもので、これによって、吸引力の均一化が図られ、吸引清掃時における吸引力および作動音のムラを改善することが可能となり、清掃性の向上と清掃時の作動音の改善が可能となり、より快適な環境を作出する空気調和機を提供することができる。
【００１２】
第２の発明は、特に、第１の発明の吸引ダクトを空気調和機の本体の前面側上部付近に配設したもので、前記吸引ダクトを空気調和機の本体内にコンパクトに収納することができるようになり、空気調和機の小型化が可能となる。
【００１３】
第３の発明は、特に、第２の発明のエアフィルターと、吸引ノズルと、吸引ダクトと、吸引装置とでフィルター装置を構成し、吸引ダクトを保持する支持部材を、前記フィルター装置もしくは本体に備えたもので、吸引ダクトを屈曲自在で柔軟性に富んだ部材で形成しても、吸引ダクトがエアフィルターや吸引ノズルと接触するのを防ぐことができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機の断面図、図２は同空気調和機の正面図であり、図３は同空気調和機の運転状態を示す断面図、図４は同空気調和機のフィルター装置の構成例を示す斜視図、図５は同空気調和機の吸引ノズルの構成例を示す斜視図である。尚、上記従来の空気調和機と同一部分には、同一符号を付してその説明を省略する。
【００１６】
図１〜５において、本実施の形態における空気調和機３０の本体２０の内部には、熱交換器２１が設けられ、空気の流路となる送風通路２５が形成されている。この送風通路２５内には、ファン２２が配設され、本体２０の前面から上面に渡り形成された吸込口２８から室内の空気を吸い込み、吹出口２４から吹き出す空気の流れを発生させている。また、吹出口２４には、吹き出す空気の方向を左右方向に変更する左右羽根２６と、吹き出す空気の方向を上下方向に変更する上下羽根２７を備えている。さらに、本体２０の前面から上面に渡って形成された吸込口２８と熱交換器２１との間には、略Ｌ字型形状のフィルター装置２３を配設している。
【００１７】
また、空気調和機３０は、前面側の吸込口２８を開閉するパネル３１と、パネル３１を保持する支持アーム３２と、支持アーム３２を駆動してパネル３１を開閉動作させるパネル駆動装置３４とを備えており、図３に示すように、空気調和機３０の運転時においては、パネル３１は、本体２０から離間して前面側の吸込口２８を開口させる。
【００１８】
図４に示すように、フィルター装置２３は、フィルターワク１と、フィルターワク１に形成され熱交換器２１を通過する空気中の埃を捕集するエアフィルター２と、エアフィルター２で捕集された埃を吸引する吸引ノズル３と、吸引ノズル３で吸引した埃を搬送する吸引ダクト５と、前記埃を吸引排出する吸引装置６と、前記埃を屋外へ排出する排気ダクト７とで構成されている。
【００１９】
吸引ノズル３は、フィルターワク１の上下端に設置されたガイドレール４により支持されて、エアフィルター２と極めて狭い隙間を保って左右に移動することができる。ここで、吸引ノズル３は、フィルターワク１の下部に備えた駆動モータ１８とワイヤー（図示せず）で左右に駆動されるようになっている。
【００２０】
また、本体２０の前面側上部に設けた吸引ダクト５の一方は、吸引ノズル３の長手方向における略中央部に設けた接続口１１に接続され、他方は、吸引装置６に接続されている。さらに、吸引装置６には、排気ダクト７が接続され、室外へ引き回される。
【００２１】
吸引ノズル３は、図５に示すように、吸引風の流通路を構成するノズル本体８と、ノズル本体８を囲むように設けられたフィルム９と、フィルム９を支持して駆動力を伝えるギア１４と、フィルム９を支持して円滑に駆動させるための複数のローラー１５から構成されており、ノズル本体８のエアフィルター２側の面には、エアフィルター２の縦長さに相当する長さでスリット状のノズル開口部１６が設けてある。
【００２２】
一方、フィルム９は、ループ状に形成され、ノズル開口部１６を覆うようにノズル本体８の外周に巻き付けられ、エアフィルター２側の面のノズル開口部１６に相対する位置に、ノズル開口部１６に沿ってノズル開口部１６の開口長さより短い吸引口１０が設けられている。さらに、フィルム９の両端には、等間隔の駆動穴１２が設けられており、フィルム駆動モータ１３に連結されたギア１４が駆動穴１２に噛み合っており、フィルム駆動モータ１３を駆動することにより、フィルム９は上下方向のいずれにも自在に駆動できるようになっている。
【００２３】
次に、上記のように構成された吸引ノズル３にて、エアフィルター２の全面を吸引清掃する動作について説明する。図６は、図４に示したエアフィルター２の清掃範囲Ａ〜Ｈに対応した吸引口１０の位置を示す吸引ノズル３の裏面展開図（吸引ノズル３を背面から見た図）である。尚、実際の吸引ノズル３は、図４に示されるように、エアフィルター２に沿って折れ曲がった構造をとるが、図６においては、見やすくするため吸引ノズル３を真直に伸ばした状態で記載している。
【００２４】
まず、図４におけるエアフィルター２のＡの範囲を吸引清掃する場合、図６（ａ）に示すように、フィルム９を駆動して吸引口１０をＡの位置に固定する。この状態で、吸引装置６を駆動して、吸引口１０を通して埃を吸引しながら、駆動モータ１８を駆動して吸引ノズル３をエアフィルター２の右端から左端まで移動させることにより、図４におけるエアフィルター２のＡの範囲を吸引清掃することができる。
【００２５】
次に、図４におけるエアフィルター２のＢの範囲の吸引清掃に移行するため、フィルム駆動モータ１３を駆動して、フィルム９の吸引口１０を、図６（ｂ）に示すように、Ｂの
位置に固定する。同様に、この状態で吸引しながら吸引ノズル３をエアフィルター２の左端から右端まで移動させることで今度は、図４におけるエアフィルター２のＢの範囲が吸引清掃される。
【００２６】
同様にして、図４におけるエアフィルター２のＣからＨの範囲も吸引清掃できる。このようにフィルム９を駆動して吸引口１０の位置を変えながら、吸引ノズル３をエアフィルター２に沿って横スイープさせることで、エアフィルター２の全面を清掃することが可能となる。尚、吸引ノズル３が、左右方向に１往復した後に、吸引口１０を次の位置に切り替えるという動作をさせてもかまわない。
【００２７】
ここで、パネル３１を保持する支持アーム３２と、パネル駆動装置３４との構成位置を従来位置から変更して、吸引ダクト５の接続口１１を、吸引ノズル３の中央部に設けることで、ノズル本体８内の吸引抵抗が一定になり、吸引力の均一化が図られて、清掃性にムラが発生したり、吸引時の作動音が変化するという課題が生じ難くなる。
【００２８】
また、接続口１１を、吸引ノズル３の中央部に設けるとともに、吸引ダクト５を、本体２０の前面側上部に配設することで、吸引ダクト５を、本体２０内にコンパクトに収納することができるようになり、空気調和機３０の本体２０の小型化を図ることが可能となる。ここで、吸引ダクト５は、吸引ノズル３の移動を阻害しないように屈曲自在なダクトで形成されているため、自重により垂れ下がりエアフィルター２や吸引ノズル３と接触する恐れがあるので、本実施の形態では、図４に示すように、吸引ダクト５を、フィルターワク１に設置した支持部材１９で保持するようにしている。尚、支持部材１９は、本体２０に設置してもかまわない。
【００２９】
以上のように、本実施の形態によれば、エアフィルター２の上流側表面に沿って移動可能で埃を吸引する吸引ノズル３と、吸引ノズル３に設けた接続口１１に接続され吸引ノズル３で吸引された埃を搬送する吸引ダクト５とを設け、その接続口１１を吸引ノズル３の長手方向の略中央部に設けたことにより、ノズル本体８内の吸引抵抗が一定になり、吸引力の均一化が図れるため、清掃性の向上と清掃時の作動音の改善が可能となる。
【産業上の利用可能性】
【００３０】
以上のように、本発明にかかる空気調和機は、エアフィルターの吸引清掃時に、吸引力の均一化が図れるため、清掃性の向上と清掃時の作動音の改善が可能となるもので、空気清浄機など空気中の埃を捕集するエアフィルターを装着した機器にも適用できる。
【図面の簡単な説明】
【００３１】
【図１】本発明の実施の形態１における空気調和機の断面図（図２のＩ−Ｉ断面図）
【図２】同空気調和機の正面図
【図３】同空気調和機の運転状態を示す断面図（図２のＩ−Ｉ断面図）
【図４】同空気調和機のフィルター装置の構成例を示す斜視図
【図５】同空気調和機の吸引ノズルの構成例を示す斜視図
【図６】（ａ）同吸引ノズルの裏面展開図（ｂ）同吸引ノズルの裏面展開図（ｃ）同吸引ノズルの裏面展開図（ｄ）同吸引ノズルの裏面展開図
【図７】従来例の空気調和機の断面図
【図８】同空気調和機の吸引ノズルの裏面展開図
【符号の説明】
【００３２】
１  フィルターワク
２  エアフィルター
３  吸引ノズル
４  ガイドレール
５  吸引ダクト
６  吸引装置
７  排気ダクト
８  ノズル本体
９  フィルム
１０  吸引口
１１  接続口
１２  駆動穴
１９  支持部材
２０  本体
２１  熱交換器
２２  ファン
２３  フィルター装置
２４  吹出口
２５  送風通路
２６  左右羽根
２７  上下羽根
２８  吸込口
３０  空気調和機
３１  パネル
３２  支持アーム
３３  ギア
３４  パネル駆動装置
【図１】
2009293823.tif 000003
【図２】
2009293823.tif 000004
【図３】
2009293823.tif 000005
【図４】
2009293823.tif 000006
【図５】
2009293823.tif 000007
【図６】
2009293823.tif 000008
【図７】
2009293823.tif 000009
【図８】
2009293823.tif 000010